(57)【要約】【課題】表示部の構造を単純にし、発光箇所、発光色、発光表示内容等の選択をし易く、製品を安価にする。【解決手段】  発光箇所２を設けた表示部３と、その表示部３の近傍又は内部に設置した発光源４と、その表示部３と接合し、発光源４を点灯又は消灯させるスイッチング手段を内蔵するケース５とを具備し、その発光源４から放射される光線を表示部３に入射させ、その表示部３に設けた発光箇所２を発光させる。そして、上記表示部３に透明部材を用い、その透明部材に蛍光色を施して発光箇所２を設け、発光源４に紫外線発光ダイオードを用いる。又、上記透明部材に設ける発光箇所２を、蛍光インキ使用の印刷により蛍光色を施して設ける工程を採用するのが好ましい。【選択図】        図１
2005160656.tif 000002
【特許請求の範囲】
【請求項１】
発光箇所を設けた表示部と、その表示部の近傍又は内部に設置した発光源と、その表示部と接合し、発光源を点灯又は消灯させるスイッチング手段を内蔵するケースとを具備し、その発光源から放射される光線を表示部に入射させ、その表示部に設けた発光箇所を発光させる発光装飾品であって、上記表示部に透明部材を用い、その透明部材に蛍光色を施して発光箇所を設け、発光源に紫外線発光ダイオードを用いることを特徴とする発光装飾品。
【請求項２】
透明部材に設ける発光箇所を、蛍光インキ使用の印刷により蛍光色を施して設けることを特徴とする請求項１記載の発光装飾品の製造方法。
【発明の詳細な説明】
【技術分野】
【０００１】
本発明は、暗中の広告、装飾、演出等の各種表示に適する発光機能付きの装飾品に関する。
【背景技術】
【０００２】
従来、平たい表示部に発光箇所を設けた発光機能付きの製品として発光うちわが知られている。このような発光うちわでは平たいうちわ本体の面に施した文字、マーク、図柄等の各種表示を発光させて暗中でも表示を見ることができる。それ故、発光うちわを持つ人の存在を際立たせ、広告、装飾、演出等の各種表示を行える。特に、夏期の夕方から夜間に行われる夏祭り、盆踊り、花火大会、野外コンサート、野球大会等、多数の人が集まる各種のイベントで使用すると、会場の雰囲気を盛り上げることができる。
【０００３】
そして、このような発光うちわとして、うちわの骨部分に光ファイバーを使用し、うちわの外周を星のように輝かすことのできる光ファイバーを用いたうちわ（特許文献１）、多数の放射状に配設した透明合成樹脂製支骨を有し、光を支骨の先端より発光させてなる団扇（特許文献２）、うちわの扇面に多数の光ファイバーを配設して、光ファイバーの先端部から変色した光を放って、扇面の周縁部で異なる色の光を移動させると共に、扇面の表側に裏面に文字や模様を印刷した透明フィルムを張設し、各光ファイバーの文字や模様の輪郭を白抜きにして、同輪郭に当る位置にＶカットを施すことで、Ｖカット部分から発光して文字や模様を強調することができる照明付うちわ（特許文献３）が知られている。
【０００４】
又、骨材を光反射物質が混入された光透過性樹脂で形成して、骨材の先端および表面から光を発生させると共に、骨材の表面に化粧部材を張り付けた発光うちわ（特許文献４）、透明な材質より成る扇体の骨格基部から多数の放射骨を分岐し、その放射骨の中間の分岐部を扇体からの発光点とし、また疑似骨や縁部材を設けて発光点を多くし、更に骨格の表面に貼着した扇面板にホログラムシート等を用いて、外光により視認可能な模様または図柄を備え、明所での美観を得る発光うちわ（特許文献５）が知られている。
【特許文献１】実開昭６１―１３４３１６号公報
【特許文献２】実開昭６４―７８１８号公報
【特許文献３】特開平７―３２７７２０号公報
【特許文献４】実開平７―２５８１６号公報
【特許文献５】特開２００２―３３０８１０号公報
【発明の開示】
【発明が解決しようとする課題】
【０００５】
しかしながら、それ等の発光うちわはいずれもうちわ本体に発光源から放射される光線を導くため、多数の光ファイバーや骨材を放射状に配設している。そして、うちわ本体の発光箇所を各光ファイバーや各骨材の先端が臨む外周部から両面へと広げて行き、光ファイバーにＶカットを施し、骨材に光反射性物質を混入し、各放射骨を分岐し、疑似骨や縁部材を設ける等して発光点や発光する線部を増すことにより発光箇所を多くしている。又、うちわ本体に裏面に文字や模様を印刷した透明フィルム、化粧部材、ホログラムシート等を貼着している。それ故、発光うちわの本体構造が複雑になり、そのうちわ本体に設ける発光箇所、発光色、発光表示内容等を自由に選択し難く、製品が高価になる等の問題がある。
【０００６】
本発明はこのような従来の問題点に着目してなされたものであり、表示部の構造が単純で、その表示部に設ける発光箇所、発光色、発光表示内容等を選択し易く、製品が安価な発光装飾品並びにその製造方法を提供することを目的とする。
【課題を解決するための手段】
【０００７】
上記目的を達成するために、本発明による発光装飾品は発光箇所を設けた表示部と、その表示部の近傍又は内部に設置した発光源と、その表示部と接合し、発光源を点灯又は消灯させるスイッチング手段を内蔵するケースとを具備し、その発光源から放射される光線を表示部に入射させ、その表示部に設けた発光箇所を発光させる。そして、上記表示部に透明部材を用い、その透明部材に蛍光色を施して発光箇所を設け、発光源に紫外線発光ダイオードを用いる。
又、上記透明部材に設ける発光箇所を、蛍光インキ使用の印刷によって蛍光色を施して設ける工程を採用するのが好ましい。
【発明の効果】
【０００８】
本発明の発光装飾品は表示部に透明部材を用いることにより、その透明部材内に入射する光線を透明部材の表面から一部ずつ順次屈折透過により外部に放出させながら、その表面間の反射等により内部を通過して遠方まで送れるので、透明部材の表面全体から光線を放出できる。そして、透明部材に蛍光色を施した発光箇所を設け、発光源に紫外線発光ダイオードを用いると、発光箇所に施した蛍光色に紫外線を当てて、良く発光させ、暗中で表示を見ることができる。それ故、表示部に透明部材を用いるだけでよく、構造が単純になり、その透明部材に蛍光色を施すだけでよいため、発光箇所の位置、面積、発光色の数、組み合せ、発光表示内容等を自由に選択でき、製品を安価にすることができる。しかも、使用目的に応じて、表示部又はその表示部と接合するケースに吊るし穴、掛け穴、止め部材等を設け、或いはそのケースを台部にすることができる。
【０００９】
そして、蛍光インキ使用の印刷法を採用すると、発光箇所に簡単に蛍光色を施すことができ、多量生産に適するので、製品を一層安価にできる。
【発明を実施するための最良の形態】
【００１０】
以下、添付の図１〜４を参照して、本発明の実施の最良形態を説明する。
図１は本発明を適用した発光ペンダントの正面図、図２はその右側面図である。この発光ペンダント１は平たい部分を発光箇所２を設ける表示部３にし、その表示部３の一部に、その発光箇所２を発光させる発光源４と、その発光を点滅制御する点滅周期制御回路等を備えたコントローラを収納するケース５とを接合して構成する。そして、表示部３には透明部材として、例えば厚みが１．５〜２ｍｍ程の均一なプラスチック製の透明板を用いる。その際、表示部３の本体６を例えば円形にし、その相対する縁部から板面方向に夫々突出するようにして、一方にはリング状の突部７を設け、他方には発光源４を設置するための凹所８を中央から縁部に掛けて切り欠いた大略台形状の突部９を設ける。すると、表示部本体６に発光箇所２を設け、リング状突部７の穴を首掛け用の鎖又は紐を通す吊るし穴として用い、台形状突部９とその近傍にある表示部本体６の一部をコントローラ収納ケース５との接合部にできる。なお、透明部材としてアクリル樹脂が透明度が最も高く、光を良く透過するので適している。
【００１１】
又、コントローラ収納ケース５には強度の大きなプラスチック材として、例えばＡＢＳ樹脂を用いる。そして、その収納ケース本体１０を直方体とし、各辺の長さを厚み（奥行方向の長さ）を示す辺１１と比べて、縦辺１２を１．５倍程、横辺１３を３倍程にする。又、その収納ケース本体１０の縦辺１２と直交する一方の面中央部にその縦辺１２の方向に突出するようにして、表示部３との接合時に、その表示部３に設けた台形状突部９の付け根側部と表示部本体６の一部を被って挟持する４角錐台状の挟持用突部１４を設ける。その際、挟持用突部１４の付け根付近の厚みを収納ケース本体１０の厚みと等しくし、そこから先端に近づく程両側から等しく厚みを減じて行き、先端では付け根の厚みの１／２程にする。なお、その先端面の中央部を少し凹所にする。
【００１２】
そして、コントローラ収納ケース５の全体を厚み方向に２等分割し、分割体１５（１５ａ、１５ｂ）にする。当然、収納ケース本体１０が２等分割されて分割体１６（１６ａ、１６ｂ）になり、挟持用突部１４も２等分割され、分割体１７（１７ａ、１７ｂ）になる。そこで、コントローラ収納ケース５の挟持用突部１４の付け根付近の内部中央を、発光源４の収納箇所にし、更に収納ケース本体１０の中央部内の背面側をコントロール基板１８の収納箇所にする。
【００１３】
又、コントローラ収納ケース５の本体中央部内の正面側を、１個又は複数個の電源電池例えば２個のボタン型電池１９（１９ａ、１９ｂ）を左右に離して収納する箇所にする。すると、それ等の各ボタン型電池１９をその−極をコントロール基板１８に備え付けられた対応する接触用ばね片２０（２０ａ、２０ｂ）と夫々接続させること等により、直列接続することができる。なお、各ボタン型電池１９の＋極はコントロール基板１８に備え付けられた他の対応する接触用ばね片（図示なし）と夫々接触させる。
【００１４】
又、コントローラ収納ケース５の本体１０を構成する正面側分割体１６ａの中央部壁に、電池挿入、取り出し用の長方形状開口部を設け、そこに電池蓋２１を備え付ける。この電池蓋２１は電池収納箇所の開口部に対し、装着脱可能にするため、その中央にねじ止め穴を設け、内部の受け部材にねじ止めできるようにする。又、電池蓋２１にはそのねじ止め穴より挟持用突部分割体１７ａの側に寄せて、コントロール基板１８に備え付けた操作用スイッチ、例えばスライドスイッチ２２（図３参照）の操作つまみ２３を外部に臨ませるための開口部２４を設ける。
【００１５】
このようにして、コントローラ収納ケース５の挟持用突部１４の付近に発光源４を内蔵するが、その発光源４として紫外線発光ダイオードを用いる。その際、紫外線発光ダイオード４として、例えば３８０〜４１０ｎｍの波長帯の光線を発生するものが、蛍光物質に当ると可視光線を出す紫外線（ブラックライト）を多く含むので適している。そして、その紫外線発光ダイオード４に、図３に示す電気回路の構成によって、電源電池１９と操作用スライドスイッチ２２、その紫外線発光ダイオード４の点滅周期を制御する制御回路２５等のスイッチング手段とを接続する。この点滅周期制御回路２５はコントロール基板１８に搭載されたマイコンチップにプログラミングすること等によって内蔵されており、その点滅周期を例えば０．５秒点灯、０．１秒消灯にし、或いはゆっくりと１秒点灯、０．５秒消灯等に設定することができる。なお、紫外線発光ダイオード４を点灯又は消灯のみする場合には、操作用スライドスイッチ２２を操作するだけでよいので、当然点滅周期制御回路２５を省略できる。
【００１６】
そこで、表示部本体６に紫外線に反応する蛍光色を施す。その際、例えば蛍光インキを用いて表示部本体６を構成する透明板の表面に、直接シルクスクリーン印刷によって蛍光色を施す。このような蛍光インキとして、蛍光顔料を含む各種の蛍光色、例えばオレンジ、オレンジイエロー、ブルー、レッド、マゼンタ、レモン、グリーン、レッドオレンジ、サリーズ、ホワイト等のインキが販売されている。それ故、蛍光インキ使用の印刷法を採用すると、透明板の表面に簡単に蛍光色を施して発光箇所を設けることができ、多量生産にも適するので、製品を安価にすることができる。なお、図１では表示部本体６の例えば正面側の片面中央部を発光箇所２とし、そこに蛍光インキを使用して会社名を大きく印刷したものを示している。
【００１７】
組立時には、表示部本体６から突出する台形状突部９の凹所８内に、紫外線発光ダイオード４を設置し、その台形状突部９の付近をコントロール収納ケース５の両挟持用突部分割体１７ａ、１７ｂで挟み、紫外線発光ダイオード４付きコントロール基板１８等を収納した後、２本のねじ２６（２６ａ、２６ｂ）を紫外線発光ダイオード４の両側に配置して用い、その台形状突部９、両挟持用突部分割体１７ａ、１７ｂ等を一体に結合して、表示部３とコントローラ収納ケース５とを接合する。そして、収納ケース本体１０の両分割体１６ａ、１６ｂの左右縁部近傍の中央を夫々２本のねじ２７（２７ａ、２７ｂ）を用いて互いに結合し、その正面側分割体１６ａの中央部壁に設けた開口部を電池蓋２１で閉じ、１本のねじ２８で止めると、コントローラ収納ケース５が完成すると同時に、発光ペンダント１が完成する。その際、紫外線発光ダイオード４と両挟持用突部分割体１７等との間に薄いアルミニウム板等の遮蔽体を夫々介在することにより、発光ダイオード４から放射される紫外線が発光と関係のない不必要な方向に放射されず、表示部本体６の外周方向に向って放射されるようにする。なお、コントローラ収納ケース５の全体を着色物質等を含ませて不透明にしてもよい。
【００１８】
この発光ペンダント１を使用する場合、普通のペンダントと同様に胸に吊るして飾りとして用いる。その際、スイッチ２２を操作してオンにすると、発光ダイオード４を点灯でき、設定した周期で点滅状態にできる。そして、発光ダイオード４から放射される紫外線が表示部３を構成する透明板に入射する。すると、透明板内に入射する紫外線を一部ずつ順次板の両面から屈折透過により外部に放出させながら、その両面間の反射等により内部を通過して遠方にある外周まで送れるので、透明板の表面全体から紫外線を放出できる。
【００１９】
このため、表示部本体６を構成する透明板表面の発光箇所に施した蛍光色に紫外線が当たり、良く発光するので、暗中でも発光箇所、発光色、発光表示内容等を見ることができる。それ故、表示部３に透明板を用いるだけでよく、表示部３の構造が単純になり、その透明板に蛍光色を施すだけでよいため、発光箇所の位置、面積、発光色の数、組み合わせ、発光表示内容等を自由に選択でき、製品を安価にすることができる。
【００２０】
上記実施の形態では表示部本体６の片面中央部を発光箇所２とし、そこに蛍光インキを使用して会社名を欧文字によって大きく印刷したものを示したが、当然図４に示すように表示部本体６の片面中央部を発光箇所２とし、そこに大小３個のハイビスカスの花等を同様にして印刷し、発光させることができる。なお、表示部本体６の輪郭形状を円形等の単純形状にするばかりでなく、動植物、人形等の種々の複雑な輪郭形状にすることもできる。
【００２１】
又、上記実施の形態では表示部３を構成する透明板に蛍光色を施すため、蛍光インキを使用する場合について説明したが、蛍光塗料等を使用することもできる。
【００２２】
又、上記実施の形態では表示部３を構成する透明板に切り欠き凹所８を設け、その凹所８の内部に紫外線発光ダイオード４を設置することにより、表示部３の近傍に紫外線発光ダイオード４を設置する場合について説明したが、透明板に穴を設け、その穴内に紫外線発光ダイオードを設置することにより、その透明板の内部に紫外線発光ダイオードを設置することもできる。
【００２３】
又、上記実施の形態では本発明をペンダントに適用して発光ペンダント１を製作する場合について説明したが、ブローチ、バッジ等のアクセサリー、掛物、置物等に適用して装飾品を発光させることもできる。その際には適宜、表示部に用いる透明部材の形状を球等にしたり、アクセサリー、掛物用の止め穴や止めピン、止めねじ等の止め部材を備え付けたり、コントローラ収納ケースを表示部を保持する台部にして置物にしたりする。
【図面の簡単な説明】
【００２４】
【図１】本発明を適用した発光ペンダントの正面図である。
【図２】同発光ペンダントの右側面図である。
【図３】同発光ペンダントに内蔵する紫外線発光ダイオード点滅周期制御用の電気回路である。
【図４】本発明を適用した他の発光ペンダントの正面図である。
【符号の説明】
【００２５】
１…発光ペンダント  ２…発光箇所  ３…表示部（透明部材）  ４…発光源（紫外線発光ダイオード）  ５…コントローラ収納ケース  ６…表示部本体  ７…リング状突部  ８…切り欠き凹所  ９…台形状突部  １０…収納ケース本体  １１…厚み辺  １２、１３…縦、横辺  １４…挟持用突部  １５…収納ケース分割体  １６…収納ケース本体分割体  １７…挟持用突部分割体  １８…コントロール基板  １９…電源電池  ２０…接触用ばね片  ２１…電池蓋  ２２…スライドスイッチ  ２３…操作つまみ  ２５…点滅周期制御回路  ２６、２７、２８…ねじ
【図１】
2005160656.tif 000003
【図２】
2005160656.tif 000004
【図３】
2005160656.tif 000005
【図４】
2005160656.tif 000006